(57)【特許請求の範囲】
【請求項１】
互いに対向する二部材のうちの一方の部材に設けられた装着溝に装着するガスケットであって、
前記装着溝の幅以下の大きさを有する本体部と、
前記本体部とは別に、該本体部を前記一方の部材に保持する保持部と、
を備え、
前記保持部は、前記本体部から突出して前記装着溝の外周面に当接する第１当接部と、前記本体部から延びて前記一方の部材の外表面に当接する第２当接部とを有し、前記第１当接部および前記第２当接部で前記一方の部材を挟み込むことによって、前記本体部を前記装着溝に保持するガスケット。
【請求項２】
互いに対向する二部材のうちの一方の部材に設けられた装着溝に装着するガスケットであって、
前記装着溝の幅以下の大きさを有する本体部と、
前記本体部とは別に、該本体部を前記一方の部材に保持する保持部と、
を備え、
前記一方の部材は、前記装着溝に連通して前記一方の部材の外周方向に延びる溝部を有しており、
前記保持部は、前記一方の部材の前記溝部のうちの一部分に圧入される突起部であるガスケット。
【請求項３】
前記一方の部材の装着溝に装着する方向とは反対方向に延伸する係子をさらに備える、
請求項１または請求項２に記載のガスケット。
【発明の詳細な説明】
【技術分野】
【０００１】
本発明は、ガスケットに関する。
【背景技術】
【０００２】
例えば、内部に半導体装置等の電子部品を収納した筐体等においては、一方が開口した凹形状の本体と本体開口を閉塞する蓋体とを備え、本体開口縁と蓋体外周縁とのいずれか一方にガスケットが嵌着される凹形状の環状溝部を設け、該環状溝部にガスケットを嵌着した状態で本体に対して蓋体を組み付けることにより、本体開口縁と蓋体外周縁とでガスケットを挟圧してガスケットを押し潰し、液密もしくは気密の筐体を形成している。このような凹形状の溝に勘入されるガスケットにおいては、ガスケットに倒れ込みが発生した場合に、筐体の液密もしくは気密性能が低下する。
【０００３】
これを防止するために、特許文献１では、溝の側面に対向するガスケットの両側面に突起を設け、該突起を溝の側面に当接させることによって、ガスケットの倒れ込みを防ぐガスケット構造が開示されている。
【先行技術文献】
【特許文献】
【０００４】
【特許文献１】特開２００９−１８０２８３号公報
【発明の概要】
【発明が解決しようとする課題】
【０００５】
ガスケットの倒れ込みを確実に防止するためには、ガスケット側面の突起の寸法を溝の幅方向の寸法より大きく形成し、ガスケットを溝内に圧入するようにしなければならない。すなわち、ケースを構成する一方の部材に設けられた溝に対して、ガスケットの両側の突起を圧縮しながら嵌着する構成になっているため、ガスケットを溝に装着するのが困難となる。このため、突起が潰されずに浮いてしまい、特に、溝が上方にある部材にガスケットを配置する場合、ガスケットが脱落する可能性がある。また、ガスケットを溝に装着する際に、ガスケットの両側に設けられた突起を圧縮しながらガスケットを溝内に圧入しなければならず、作業性が悪いという問題があった。
【０００６】
本発明は、装着時の作業性が良く、倒れ込みを防ぐことができるガスケットを提供することを目的とする。
【課題を解決するための手段】
【０００７】
本発明によるガスケットは、互いに対向する二部材のうちの一方の部材に設けられた装着溝に装着するガスケットである。このガスケットは、装着溝の幅以下の大きさを有する本体部と、本体部とは別に、本体部を一方の部材に保持する保持部とを備える。
【発明の効果】
【０００８】
本発明によれば、ガスケットを装着溝に圧入する必要がないので、装着時の作業性が良く、かつ、ガスケットに倒れ込みが生じることもない。
【図面の簡単な説明】
【０００９】
【図１】図１は、第１の実施形態におけるガスケットの全体を示す上面図である。
【図２】図２は、第１の実施形態におけるガスケットを、シール部材である上側ケースと下側ケースで挟み込んだ状態を示す断面図である。
【図３】図３は、ガスケットを装着した上側ケースを、上側ケースの外側から見た図である。
【図４】図４は、ガスケットの突起部および係子ガイドの奥行き幅を説明するための図である。
【図５】図５は、ガスケットを上側ケースの溝に挿入する際にガスケットに働く力を説明するための図である。
【図６】図６は、第２の実施形態におけるガスケットを、シール部材である上側ケースと下側ケースで挟み込んだ状態を示す断面図である。
【図７】図７は、第２の実施形態におけるガスケットの突起部および係子ガイドの奥行き幅を説明するための図である。
【図８】図８は、ガスケットを上側ケースに挿入する前の状態を、ガスケットの下側から見た図である。
【図９】図９は、ガスケットを上側ケースに挿入した状態を、下側ケース側から見た図である。
【図１０】図１０は、ガスケットを上側ケースの溝に挿入する際にガスケットに働く力を説明するための図である。
【図１１】図１１は、第３の実施形態におけるガスケットを装着した上側ケースを、上側ケースの外側から見た図である。
【図１２】図１２は、第４の実施形態におけるガスケットを上側ケースに挿入した状態を、下側ケース側から見た図である。
【発明を実施するための形態】
【００１０】
−第１の実施形態−
図１は、第１の実施形態におけるガスケット１の全体を示す上面図である。図２は、第１の実施形態におけるガスケット１を、シール部材である上側ケース２と下側ケース３で挟み込んだ状態を示す断面図（図３中に記載の断面α−αを示す図）である。図３は、ガスケット１を装着した上側ケース２を、上側ケースの外側から見た図である。
【００１１】
上側ケース２は、一方が開口した凹形状であり、下側ケース３は、上側ケースの開口を閉塞する蓋の役割を果たす。上側ケース２には、本体開口縁に凹形状の環状溝が設けられており、この環状溝に環状のガスケット１を装着した状態で下側ケース３を組み付けることによって、上側ケース２の開口縁と下側ケース３の外周縁とでガスケット１を押し潰して、液密または気密の筐体を形成する。なお、図２において波線で示す部位は、図３中に記載の断面α−α上には存在せず、図３中に記載の矢視βを示しており、理解容易のために記載している。また、その他の図中（後述する図４、図６、図７中）においても同様に、断面上には存在しない部位を波線で示している。
【００１２】
ガスケット１は、上側ケース２に設けられた装着溝２ａに装着される本体部１ａと、本体部１ａから突出して、装着溝２ａの外周面に当接する突起部１ｂと、上側ケース２の外表面に当接する係子１ｃと、本体部１ａと係子１ｃとを連結している係子ガイド１ｄとを有する。
【００１３】
ガスケット１を上側ケース２に装着する際には、ガスケット１の係子１ｃを上側ケース２のフランジ部に引っかけるように固定する。続いて、ガスケット１の係子１ｃと突起部１ｂで上側ケース２を挟み込むようにして、本体部１ａを上側ケース２の装着溝２ａに装着する。
【００１４】
図４は、ガスケット１の突起部１ｂおよび係子ガイド１ｄの奥行き幅を説明するための図である。図４（ａ）は、上側ケース２および下側ケース３を示し、図４（ｂ）は、ガスケット１を示している。
【００１５】
図４（ａ）に示すように、上側ケース２の装着溝２ａの奥行き幅をＡ、上側ケース２の装着溝２ａの外周面から上側ケース２の外表面までの間に位置する外壁の厚さをＢとする。また、図４（ｂ）に示すように、ガスケット１の本体部１ａの幅をＣ、係子ガイド１ｄの奥行き幅に突起部１ｂの幅を加算した長さをＤとすると、突起部１ｂの奥行き幅Ｆは、次式（１）の関係が成り立つように設定する。
【００１６】
Ａ−Ｃ≧Ｆ≧（Ａ−Ｃ）／２                  …（１）
すなわち、突起部１ｂは、上側ケース２の装着溝２ａの奥行き幅Ａとガスケット１の本体部１ａの幅Ｃとの隙間以下の奥行き幅Ｆを有する。また、ガスケット１の幅方向寸法は、上側ケース２の装着溝２ａの幅よりも小さいため、ガスケット１を上側ケース２に装着する際に、装着溝２ａ内に圧入する必要がない。
【００１７】
また、係子ガイド１ｄの奥行き幅Ｄから突起部１ｂの幅Ｆを減算した長さは、次式（２）の関係が成り立つように設定する。
【００１８】
Ｄ−Ｆ≦Ｂ                                …（２）
すなわち、ガスケット１を上側ケース２に装着した状態では、ガスケット１の突起部１ｂと係子１ｃとで上側ケース２の溝外周を挟み込む構造となる。これにより、ガスケット１が上側ケース２から脱落するのを防ぐことができる。
【００１９】
図５は、ガスケット１を上側ケース２に装着する際にガスケット１に働く力を説明するための図である。
【００２０】
ガスケット１を上側ケース２の装着溝２ａに挿入する際、突起部１ｂと装着溝２ａの外周面との間における摩擦による反力（Ｆ１）が発生し、ガスケット１には、ガスケット１と装着溝２ａとの接触点を中心とした回転モーメント（Ｆ２）が発生する。しかしながら、ガスケット１は、突起部１ｂと係子１ｃとで上側ケース２の溝外周を挟んで保持しているため、回転モーメント（Ｆ２）は、張力（Ｆ３）と相殺され、挿入時のガスケット１の倒れ込みを抑制することができる。
【００２１】
また、ガスケット１を上側ケース２に装着すると、上側ケース２の外側にガスケット１の係子１ｃが出るため、上側ケース２の外側を見ることによって、ガスケット１の付け忘れを容易に目視確認することができる。特に、上側ケース２に下側ケース３を組付け、上側ケース２の開口を閉塞した後であっても、上側ケース２の外側を見ることによって、ガスケット１の付け忘れを容易に目視確認することができる。すなわち、上側ケース２の外側を見た時に係子１ｃが無ければ、上側ケース２に下側ケース３を組付ける前であっても組付け後であっても、ガスケット１を付け忘れていると判断することができる。
【００２２】
以上、第１の実施形態におけるガスケット１は、互いに対向する二部材（上側ケース２、下側ケース３）のうちの一方の部材に設けられた装着溝に装着するガスケットであって、装着溝の幅以下の大きさを有する本体部１ａと、本体部１ａを一方の部材に保持する保持部（突起部１ｂ、係子１ｃ、係子ガイド１ｄ）とを備える。本体部１ａの幅が装着溝の幅以下の大きさであるため、ガスケット１の装着時に本体部１ａを装着溝に圧入する必要がない。これにより、ガスケット装着時の作業性が良く、ガスケット１の倒れ込みを防ぐことができる。
【００２３】
特に、保持部は、本外部１ａから突出して装着溝の外周面に当接する第１当接部（突起部１ｂ）と、本体部１ａから延びて一方の部材の外表面に当接する第２当接部（係子１ｃ、係子ガイド１ｄ）とを有し、第１当接部および第２当接部で一方の部材を挟み込むことによって、ガスケット本体を装着溝に保持する。これにより、ガスケット１の本体部１ａを装着溝に圧入させなくても、ガスケット１を装着溝に保持させることができる。また、第２当接部（係子１ｃ）が一方の部材である外側ケース２の外表面に当接するので、上側ケース２の外側を見ることによって、上側ケース２に下側ケース３を組付ける前であっても組付け後であっても、ガスケット１の付け忘れを容易に目視確認することができる。
【００２４】
通常、倒れ防止の突起部に対して、上側ケース２は大きい体積を占める。そのため、１つの突起部で上側ケース２の全周におけるガスケットの傾きや倒れ込みを防止するのは困難である。しかしながら、第１の実施形態におけるガスケット１では、突起部１ｂ、係子１ｃ、および、係子ガイド１ｄを一組とする部位を環状の複数の箇所に設けているので、上側ケース２の全周においてガスケット１の倒れ込みを防ぎつつ、ガスケットの脱落を防ぐことができる。
【００２５】
−第２の実施形態−
図６は、第２の実施形態におけるガスケット１Ａを、シール部材である上側ケース２と下側ケース３で挟み込んだ状態を示す断面図である。
【００２６】
第２の実施形態におけるガスケット１Ａは、装着溝２ａに装着される本体部１ａと、本体部１ａから突出して、上側ケース２の装着溝２ａの内周面に当接する突起部１ｂｂと、上側ケース２の外表面に当接する係子１ｃと、本体部１ａと係子１ｃとを連結している係子ガイド１ｄとを有する。
【００２７】
図６に示すように、ガスケット１Ａを上側ケース２の装着溝２ａに挿入した状態では、突起部１ｂｂが装着溝２ａの内周面に当接し、装着溝２ａの外周面とガスケット１の本体部１ａとは当接していない。
【００２８】
図７は、第２の実施形態におけるガスケット１Ａの突起部１ｂｂおよび係子ガイド１ｄの奥行き幅を説明するための図である。図７（ａ）は、上側ケース２および下側ケース３を示し、図４（ｂ）は、ガスケット１Ａを示している。
【００２９】
図７（ａ）に示すように、上側ケース２の装着溝２ａの奥行き幅をＡ、上側ケース２の装着溝２ａの外周面から上側ケース２の外表面までの間に位置する外壁の厚さをＢとする。また、図７（ｂ）に示すように、ガスケット１Ａの本体部１ａの幅をＣ、係子ガイド１ｄの奥行き幅をＤとすると、突起部１ｂｂの奥行き幅Ｆは、次式（３）の関係が成り立つように設定する。
【００３０】
Ｆ≦（Ａ−Ｃ）                  …（３）
すなわち、ガスケット１Ａの本体部１ａおよび突起部１ｂｂを含む幅方向寸法は、上側ケース２の装着溝２ａの幅よりも小さいため、ガスケット装着時に、ガスケット１Ａを装着溝２ａ内に圧入する必要はない。
【００３１】
図８は、ガスケット１Ａの係子ガイド１ｄの幅Ｇと、上側ケース２の係子ガイド溝２ｂの幅Ｈとの関係を説明するための図である。係子ガイド溝２ｂは、装着溝２ａに連通して上側ケース２の外周方向に延びる溝である。また、係子ガイド１ｄの幅Ｇとは、係子ガイド１ｄの長手方向と垂直な短手方向の幅のことであり、係子ガイド溝２ｂの幅Ｈとは、係子ガイド１ｄの幅Ｇに対応する方向の幅のことである。係子ガイド１ｄの幅Ｇと係子ガイド溝２ｂの幅Ｈとは、次式（４）の関係が成り立つ。
【００３２】
Ｈ≦Ｇ                      …（４）
すなわち、ガスケット１Ａを上側ケース２に装着する際には、係子ガイド１ｄを係子ガイド溝２ｂに圧入する必要がある。係子ガイド１ｄを係子ガイド溝２ｂに圧入することにより、上側ケース２からガスケット１Ａが脱落するのを防ぐことができる。
【００３３】
図９は、ガスケット１Ａを上側ケース２に挿入した状態を、下側ケース３側から見た図、すなわち、図６の矢印Ｙ１の方向に見た図である。上述したように、ガスケット１Ａの係子ガイド１ｄは、係子ガイド溝２ｂに圧入される。
【００３４】
図１０は、ガスケット１Ａを上側ケース２の装着溝２ａに挿入する際にガスケット１Ａに働く力を説明するための図である。
【００３５】
ガスケット１Ａを装着溝２ａに挿入する場合には、係子１ｃを上側ケース２の外表面に当接させた状態でガスケット１Ａを上側ケース２の内側方向に引っ張りながら、上側ケース２の装着溝２ａ内に押し込む（矢印Ｙ２）。この際、ガスケット１Ａの係子ガイド１ｄは、上側ケース２の係子ガイド溝２ｂに圧入（１００％以上の充填率で挿入）される（図９参照）。従って、ガスケット１Ａは、ガスケット１Ａの係子ガイド１ｄと係子ガイド溝２ｂとの摩擦によって保持されるため、ガスケット１Ａは上側ケース２からは脱落しない。
【００３６】
ガスケット１Ａの組み付け時には、ガスケット１Ａの突起部１ｂｂと装着溝２ａの内壁との摩擦による反力（Ｆ４）が発生し、ガスケット１Ａには回転モーメント（Ｆ５）が発生する。しかしながら、係子ガイド１ｄが係子ガイド溝２ｂに圧入されているため、係子ガイド１ｄと係子ガイド溝２ｂとの間の摩擦力による反力（Ｆ６）が発生し、ガスケット１Ａの倒れを抑制することができる。
【００３７】
以上、第２の実施形態におけるガスケット１Ａによれば、第１の実施形態におけるガスケット１と同様に、本体部１ａの幅が装着溝２ａの幅以下の大きさであるため、ガスケット１の装着時に本体部１ａを装着溝２ａに圧入する必要がない。これにより、ガスケット装着時の作業性が良く、ガスケット１の倒れ込みを防ぐことができる。
【００３８】
また、一方の部材である上側ケース２は、装着溝２ａに連通して上側ケース２の外周方向に延びる溝部２ｂを有しており、ガスケット１Ａは、本体部１ａから延びており、上側ケース２の溝部２ｂに圧入される圧入部（係子ガイド１ｄ）である。これにより、ガスケット１Ａの本体部１ａを装着溝２ａに圧入させなくても、ガスケット１Ａを装着溝２ａに保持させることができる。
【００３９】
−第３の実施形態−
図１１は、第３の実施形態におけるガスケット１Ｂを装着した上側ケース２を、上側ケース２の外側から見た図である。第３の実施形態におけるガスケット１Ｂは、ガスケット１Ｂを上側ケース２に装着する方向とは反対方向における係子１ｃｃの長さ（図中、上下方向の長さ）が第１の実施形態におけるガスケット１の係子１ｃの長さよりも長い。具体的には、係子１ｃｃは、ガスケット１Ｂを上側ケース２に装着する方向とは反対方向に延伸しており、上側ケース２への装着時に、上側ケース２のフランジ部を覆う。これにより、係子１ｃｃが外側からの散水に対してシール部位への直射を防ぐ防護壁の役割を果たすようになる。
【００４０】
−第４の実施形態−
図１２は、第４の実施形態におけるガスケット１Ｃを上側ケース２に挿入した状態を、下側ケース３側から見た図である。第４の実施形態におけるガスケット１Ｃは、図１２に示すように、係子ガイドが幅の広い部位１ｄ１と幅の狭い部位１ｄ２とから構成されている。
【００４１】
幅の広い部位１ｄ１は、係子１ｃとつながっており、第２の実施形態におけるガスケット１Ａの係子ガイド１ｄと同じ大きさの幅を有する。幅の狭い部位１ｄ２は、ガスケット１Ｃを上側ケース２に装着した状態では、係子ガイド溝２ｂとは当接しないが、ガスケット１Ｃの本体部１ａに近い箇所に、幅方向に突出する突起部１ｅを有する。
【００４２】
突起部１ｅの幅は、幅の広い部位１ｄ１の幅と略同一とする。従って、ガスケット１Ｃを上側ケース２に挿入する際には、係子ガイドの幅の広い部位１ｄ１と突起部１ｅとを、上側ケース２の係子ガイド溝２ｂに圧入（１００％以上の充填率で挿入）する。これにより、ガスケット１Ｃが上側ケース２から脱落するのを防ぐことができる。
【００４３】
また、ガスケット１Ｃを上側ケース２に挿入する際に、係子ガイド全体を上側ケース２の係子ガイド溝２ｂに圧入するのではなく、係子ガイドの幅の広い部位１ｄ１と突起部１ｅを圧入するので、第２の実施形態におけるガスケット１Ａに比べて、係子ガイドを圧入しやすく、ガスケットを上側ケース２に装着しやすい。
【００４４】
なお、係子ガイドとして幅の広い部位１ｄ１を設けずに、幅の狭い部位１ｄ２のみにより構成することもできる。この場合、幅の狭い部位１ｄ２に設けられた突起部１ｅによって、ガスケット１Ｃを上側ケース２に保持する。
【００４５】
本発明は、上述した各実施の形態に限定されることはない。例えば、第１の実施形態におけるガスケット１は、環状の形状（図１参照）として説明したが、環状の形状に限定されることはない。また、図１では、突起部１ｂ、係子１ｃ、および、係子ガイド１ｄを一組とする部位を環状の８つの箇所に設けた構成を示したが、これらの設定箇所及び設定数は、設計的に適宜変更可能である。
【符号の説明】
【００４６】
１、１Ａ、１Ｂ、１Ｃ…ガスケット
１ａ…本体部
１ｂ…突起部
１ｃ、１ｃｃ…係子
１ｄ…係子ガイド
１ｅ…突起部
２…上側ケース
２ａ…装着溝
２ｂ…係子ガイド溝
３…下側ケース
【図１】
0005862263.tif 000002
【図２】
0005862263.tif 000003
【図３】
0005862263.tif 000004
【図４】
0005862263.tif 000005
【図５】
0005862263.tif 000006
【図６】
0005862263.tif 000007
【図７】
0005862263.tif 000008
【図８】
0005862263.tif 000009
【図９】
0005862263.tif 000010
【図１１】
0005862263.tif 000011
【図１２】
0005862263.tif 000012
【図１０】
0005862263.tif 000013